(57)【要約】【課題】配信するコンテンツを容易に指定することが可能な利便性の高いコンテンツ配信システム等を提供すること。【解決手段】コンテンツを表示する表示装置に接続されるコンテンツ配信装置において、表示装置に配信するコンテンツをコンテンツフォルダとして管理する管理手段と、コンテンツフォルダに、コンテンツが格納されているディレクトリを割り当てるディレクトリ割り当て手段と、コンテンツフォルダに割り当てられたディレクトリに格納されているコンテンツを表示装置に配信するコンテンツ配信手段と、を備える。【選択図】図１
2019040362.tif 000002
【特許請求の範囲】
【請求項１】
コンテンツを表示する表示装置に接続されるコンテンツ配信装置であって、
前記表示装置に配信するコンテンツをコンテンツフォルダとして管理する管理手段と、
前記コンテンツフォルダに、前記コンテンツが格納されているディレクトリを割り当てるディレクトリ割り当て手段と、
前記コンテンツフォルダに割り当てられたディレクトリに格納されているコンテンツを前記表示装置に配信するコンテンツ配信手段と、
を備えたことを特徴とするコンテンツ配信装置。
【請求項２】
前記コンテンツフォルダには、前記表示装置が、前記コンテンツを表示するときの表示順序、表示時間、表示位置の少なくとも１つを示す表示情報が管理されており、
前記コンテンツ配信手段は、前記コンテンツと併せて、前記表示情報を配信することを特徴とする請求項１に記載のコンテンツ配信装置。
【請求項３】
前記表示情報には、表示装置における表示レイアウトとして、１又は複数の表示枠に関する情報が含まれており、
前記表示枠に、前記コンテンツフォルダを割り当てる表示枠割り当て手段を更に備えることを特徴とする請求項２に記載のコンテンツ配信装置。
【請求項４】
前記管理手段は、前記表示装置が、前記コンテンツを表示することができる又は表示することができない情報として表示制限情報を更に管理することを特徴とする請求項１から３の何れか一項に記載のコンテンツ配信装置。
【請求項５】
前記表示装置に前記コンテンツを配信する配信スケジュールを生成する配信スケジュール生成手段を更に備え、
前記コンテンツ配信手段は、前記配信スケジュールにしたがって前記コンテンツを前記表示装置に配信する又は配信指示があった場合に前記コンテンツを前記表示装置に配信することを特徴とする請求項１から４の何れか一項に記載のコンテンツ配信装置。
【請求項６】
前記配信スケジュール生成手段は、前記コンテンツが前記ディレクトリに格納された場合に、前記配信スケジュールに前記コンテンツを追加することを特徴とする請求項５に記載のコンテンツ配信装置。
【請求項７】
コンテンツを表示する表示装置に接続されるコンテンツ配信装置であって、
前記コンテンツをコンテンツフォルダとして管理する管理手段と、
前記コンテンツフォルダに、前記コンテンツが格納されているディレクトリを割り当てるディレクトリ割り当て手段と、
前記コンテンツフォルダに基づいて、前記表示装置においてコンテンツを表示するレイアウトを示す番組情報を生成する番組情報生成手段と、
前記コンテンツフォルダ又は前記番組情報に基づいて、前記表示装置においてコンテンツを表示する表示スケジュールを設定して表示スケジュール情報を生成する表示スケジュール情報生成手段と、
前記表示装置に、前記コンテンツ、前記コンテンツフォルダ、前記番組情報、前記表示スケジュール情報のうち、何れか１つに基づいて前記コンテンツを含む配信データを前記表示装置に割り当てる表示装置割当手段と、
前記表示装置割当手段により割り当てられた配信データを、割り当てられた前記表示装置に配信する配信手段と、
を備えたことを特徴とするコンテンツ配信装置。
【請求項８】
コンテンツを表示する表示装置と、前記表示装置に接続されるコンテンツ配信装置とを含むコンテンツ配信システムであって、
前記コンテンツ配信装置は、
前記表示装置に配信するコンテンツをコンテンツフォルダとして管理する管理手段と、
前記コンテンツフォルダに、前記コンテンツが格納されているディレクトリを割り当てるディレクトリ割り当て手段と、
前記コンテンツフォルダに割り当てられたディレクトリに格納されているコンテンツを前記表示装置に配信するコンテンツ配信手段と、
を備え、
前記表示装置は、
前記コンテンツ配信装置から配信されたコンテンツを受信するコンテンツ受信手段と、
前記受信されたコンテンツを表示するコンテンツ表示手段と、
を備えたことを特徴とするコンテンツ配信システム。
【請求項９】
コンテンツを表示する表示装置に接続されるコンピュータに、
前記表示装置に配信するコンテンツをコンテンツフォルダとして管理する管理機能と、
前記コンテンツフォルダに、前記コンテンツが格納されているディレクトリを割り当てるディレクトリ割り当て機能と、
前記コンテンツフォルダに割り当てられたディレクトリに格納されているコンテンツを前記表示装置に配信するコンテンツ配信機能と、
を実現させることを特徴とするプログラム。
【発明の詳細な説明】
【技術分野】
【０００１】
本発明は、コンテンツ配信装置等に関する。
【背景技術】
【０００２】
近年、駅の構内や、ショッピングセンターといった人の多いところに、表示装置を配置し、そこに広告等のコンテンツを表示するいわゆるデジタルサイネージが普及している。
【０００３】
例えば、サイネージ端末である表示装置に対し、スケジュールに基づいてコンテンツを表示させる発明が、特許文献１や特許文献２に開示されている。
【先行技術文献】
【特許文献】
【０００４】
【特許文献１】特開２０１６−２００８９２号公報
【特許文献２】特開２０１７−５５４１９号公報
【発明の概要】
【発明が解決しようとする課題】
【０００５】
通常、デジタルサイネージにおいては、システムの特性上、可用性や保守性が重視されてシステム開発がされている。コンテンツの配信自体は管理者側で行うものであり、かつ、頻繁にコンテンツの更新が行われないことから、コンテンツ配信側のシステムとしては、利便性はあまり考慮されてこなかった。したがって、コンテンツを格納する場合は管理者が１つずつ格納したり、タイムスケジュールを設定する場合は、管理者がコマンド入力をしたりするといった方法が一般的であった。
【０００６】
しかし、近年デジタルサイネージの普及に伴い、表示装置であるパネルの数が多くなったり、システムとして大型化したりすることで、多様なニーズが生まれてきている。一例を挙げると、表示時間帯等を指定した枠を広告枠として販売したいというニーズや、地域毎に異なるコンテンツ表示させたいというニーズが生まれてきている。
【０００７】
しかし、従来のコンテンツ配信装置は、上述したように利便性に重きが置かれていないことから、ニーズに応えて活用しようとすると、使い勝手が悪いといった問題が生じてきている。
【０００８】
上記した課題に鑑み、本発明は、配信するコンテンツを容易に指定することが可能な利便性の高いコンテンツ配信システム等を提供することを目的としている。
【課題を解決するための手段】
【０００９】
上述した課題を解決するために、本発明のコンテンツ配信装置は、
コンテンツを表示する表示装置に接続されるコンテンツ配信装置であって、
前記表示装置に配信するコンテンツをコンテンツフォルダとして管理する管理手段と、
前記コンテンツフォルダに、前記コンテンツが格納されているディレクトリを割り当てるディレクトリ割り当て手段と、
前記コンテンツフォルダに割り当てられたディレクトリに格納されているコンテンツを前記表示装置に配信するコンテンツ配信手段と、
を備えたことを特徴とする
【００１０】
本発明のコンテンツ配信装置は、
コンテンツを表示する表示装置に接続されるコンテンツ配信装置であって、
前記コンテンツをコンテンツフォルダとして管理する管理手段と、
前記コンテンツフォルダに、前記コンテンツが格納されているディレクトリを割り当てるディレクトリ割り当て手段と、
前記コンテンツフォルダに基づいて、前記表示装置においてコンテンツを表示するレイアウトを示す番組情報を生成する番組情報生成手段と、
前記コンテンツフォルダ又は前記番組情報に基づいて、前記表示装置においてコンテンツを表示する表示スケジュールを設定して表示スケジュール情報を生成する表示スケジュール情報生成手段と、
前記表示装置に、前記コンテンツ、前記コンテンツフォルダ、前記番組情報、前記表示スケジュール情報のうち、何れか１つに基づいて前記コンテンツを含む配信データを前記表示装置に割り当てる表示装置割当手段と、
前記表示装置割当手段により割り当てられた配信データを、割り当てられた前記表示装置に配信する配信手段と、
を備えたことを特徴とする。
【００１１】
本発明のコンテンツ配信システムは、
コンテンツを表示する表示装置と、前記表示装置に接続されるコンテンツ配信装置とを含むコンテンツ配信システムであって、
前記コンテンツ配信装置は、
前記表示装置に配信するコンテンツをコンテンツフォルダとして管理する管理手段と、
前記コンテンツフォルダに、前記コンテンツが格納されているディレクトリを割り当てるディレクトリ割り当て手段と、
前記コンテンツフォルダに割り当てられたディレクトリに格納されているコンテンツを前記表示装置に配信するコンテンツ配信手段と、
を備え、
前記コンテンツ表示装置は、
前記コンテンツ配信装置から配信されたコンテンツを受信するコンテンツ受信手段と、
前記受信されたコンテンツを表示するコンテンツ表示手段と、
を備えたことを特徴とする。
【００１２】
本発明のプログラムは、
コンテンツを表示する表示装置に接続されるコンピュータに、
前記表示装置に配信するコンテンツをコンテンツフォルダとして管理する管理機能と、
前記コンテンツフォルダに、前記コンテンツが格納されているディレクトリを割り当てるディレクトリ割り当て機能と、
前記コンテンツフォルダに割り当てられたディレクトリに格納されているコンテンツを前記表示装置に配信するコンテンツ配信機能と、
を実現させることを特徴とする。
【発明の効果】
【００１３】
本発明によれば、コンテンツ配信装置から表示装置に配信するコンテンツをコンテンツフォルダとして管理し、コンテンツフォルダに、コンテンツが格納されているディレクトリを割り当てることとなる。そして、コンテンツフォルダに割り当てられたディレクトリに格納されているコンテンツが表示装置に配信される。これにより、例えば、コンテンツをディレクトリに格納するだけで、容易に配信するコンテンツを指定することが可能となり、利便性の高いコンテンツ配信装置等を提供することができるようになる。
【図面の簡単な説明】
【００１４】
【図１】第１実施形態におけるコンテンツ配信システムの概要を説明するための図である。
【図２】第１実施形態におけるコンテンツフォルダの概念を説明するための図である。
【図３】第１実施形態におけるコンテンツ配信装置の機能構成を説明するための図である。
【図４】第１実施形態における（ａ）プレイリスト、（ｂ）番組情報、（ｃ）スケジュール情報を説明するための図である。
【図５】第１実施形態における表示装置の機能構成を説明するための図である。
【図６】第１実施形態におけるコンテンツ配信処理を説明するための図である。
【図７】第１実施形態における動作例（コンテンツフォルダ作成）を説明するための図である。
【図８】第１実施形態における動作例（ディレクトリ割り当て）を説明するための図である。
【図９】第１実施形態における動作例（コンテンツフォルダ割り当て）を説明するための図である。
【図１０】第１実施形態における動作例（コンテンツフォルダ割り当て）を説明するための図である。
【図１１】第１実施形態における動作例（コンテンツフォルダ割り当て）を説明するための図である。
【図１２】第２実施形態におけるコンテンツ配信処理を説明するための図である。
【図１３】第２実施形態における動作例（コンテンツフォルダ作成）を説明するための図である。
【図１４】第２実施形態における動作例（コンテンツアップロード）を説明するための図である。
【図１５】第２実施形態における（ａ）コンテンツの属性の設定、（ｂ）表示制限情報の設定の動作例を説明するための図である。
【図１６】第３実施形態におけるコンテンツ配信処理を説明するための図である。
【図１７】第３実施形態における動作例（表示レイアウト作成）を説明するための図である。
【図１８】第３実施形態における動作例（表示レイアウト作成）を説明するための図である。
【図１９】第３実施形態における動作例（表示レイアウト作成）を説明するための図である。
【図２０】第４実施形態におけるコンテンツ配信処理を説明するための図である。
【図２１】第４実施形態における動作例（コンテンツフォルダ割り当て）を説明するための図である。
【図２２】第４実施形態における動作例（コンテンツフォルダ割り当て）を説明するための図である。
【図２３】第４実施形態における動作例（コンテンツフォルダ割り当て）を説明するための図である。
【図２４】第２実施形態における画面例（コンテンツフォルダ作成）である。
【図２５】第２実施形態における画面例（コンテンツアップロード）である。
【図２６】第２実施形態における画面例（コンテンツの属性の設定）である。
【図２７】第２実施形態における画面例（表示制限情報の設定）である。
【図２８】コンテンツフォルダの一覧画面の画面例である。
【図２９】第３実施形態における画面例（表示レイアウト作成）である。
【図３０】第１実施形態における画面例（コンテンツフォルダ割り当て）である。
【図３１】第４実施形態における画面例（コンテンツフォルダ割り当て）である。
【図３２】第４実施形態における画面例（コンテンツフォルダ割り当て）であり、表示形式を（ａ）月間表示、（ｂ）日表示として表示した例である。
【図３３】第１実施形態における画面例（ディレクトリ割り当て）であり、（ａ）コンテンツフォルダに割り当てられているコンテンツファイルの表示画面、（ｂ）コンテンツフォルダのリンク先となるコンテンツディレクトリを表示した画面である。
【発明を実施するための形態】
【００１５】
以下、本発明の実施の形態について、図面を参照して説明する。なお、本実施形態では、一例として、本願発明におけるコンテンツ配信装置を含むコンテンツ配信システムについて説明する。
【００１６】
［１．第１実施形態］
［１．１  全体構成］
まず、本実施形態のコンテンツ配信システム１の全体構成について、図１に基づいて説明する。図１に示すように、コンテンツ配信システム１には、コンテンツ配信装置１０と、一又は複数の表示装置２０と、一又は複数の端末装置３０とがネットワークＮＷを介して接続されている。また、コンテンツ配信装置１０は、外部ネットワークＮＷ２に接続されている。ネットワークＮＷとしては、構内ネットワークとして例えばＬＡＮ等が、外部ネットワークＮＷ２としては、例えばインターネット等が想定される。
【００１７】
コンテンツ配信装置１０は、ネットワークＮＷに接続されている一又は複数の表示装置２０を管理したり、表示装置２０にコンテンツを配信したりする装置である。例えば、コンテンツ提供者、情報提供者、広告配信者によって提供されたコンテンツの登録や配信を実行するための機能を提供する。
【００１８】
表示装置２０は、コンテンツ配信装置１０から配信されたコンテンツを表示する装置であり、パネルとも呼ばれる。
【００１９】
端末装置３０は、例えばコンピュータのような機器であってもよいし、例えばスマートフォンやタブレットといった情報処理装置であってもよい。すなわち、コンテンツ配信装置１０に接続して、コンテンツのアップロードや配信を指定したりすることが出来る端末装置であればよい。
【００２０】
ここで、本実施形態でいうコンテンツとは、静止画、動画、音声、文字等であって、表示装置２０が出力できる内容をいう。動画は、例えば、ＡＶＩ（Audio Video Interleave）、ＷＭＶ（Windows Media Video）、ＭＰＥＧ等の何れの動画フォーマットのファイルであってよい。また、静止画は、ＪＰＥＧ、ＰＮＧ（Portable Network Graphics）、ＧＩＦ（Graphics Interchange Format）等の何れの画像フォーマットのファイルであってよい。
【００２１】
［１．２  本実施形態の概念説明］
まず、本実施形態の基本的な概念について、図２に基づいて説明する。図２は、ディレクトリＤ１００と、コンテンツフォルダＤ１１０と、番組Ｄ１２０と、表示スケジュールＤ１３０と、表示装置２０との関係を示したものである。
【００２２】
ディレクトリＤ１００は、コンテンツ配信装置１０における記憶装置においてファイルが格納される場所であり、実体であるコンテンツ（ファイル）が格納されている。本実施形態におけるディレクトリとは、ファイルシステムにおける構造をいい、Ｗｉｎｄｏｗｓ、ａｎｄｒｏｉｄ等の各種ＯＳにおいてはフォルダと呼ばれたりする場合もある。なお、コンテンツ配信装置１０等の各装置のローカルディスクに作成されたディレクトリであってもよいし、ネットワークドライブ上に作成されたディレクトリであってもよい。また、１つのファイルの中で生成される仮想的なファイルシステムにおけるディレクトリであってもよい。
【００２３】
このディレクトリに格納されている１又は複数のコンテンツがコンテンツフォルダＤ１１０として管理される。コンテンツフォルダＤ１１０は、ディレクトリＤ１００の位置（場所）を、リンクとして管理している。
【００２４】
コンテンツフォルダＤ１１０を利用することで、コンテンツフォルダＤ１１０に割り当てられたディレクトリＤ１００（リンク先として示されているディレクトリＤ１００）に格納されている１又は複数のコンテンツが参照され、表示装置２０に配信される。
【００２５】
表示装置２０は、１又は複数のコンテンツを表示することができる。例えば、コンテンツフォルダＤ１１０により参照されるコンテンツを、格納順に全画面で繰り返し表示するといったことが可能となる。
【００２６】
そして、コンテンツフォルダＤ１１０を基本とし、コンテンツフォルダＤ１１０を番組や、表示スケジュールに割り当てることが可能である。ここで番組Ｄ１２０は、例えば表示装置２０におけるレイアウトに関する情報である。例えば、表示画面を左右、上下の表示枠に分割する。表示枠毎に、コンテンツフォルダや、コンテンツを割り当てることにより、柔軟に表示画面を構成することができる。
【００２７】
例えば、表示画面の左側にメインとなるコンテンツフォルダを、右側にサブとなるコンテンツフォルダを割り当てる。これにより、表示画面の左右で、割り当てられた表示枠に基づいてコンテンツフォルダを表示することができる。なお、コンテンツフォルダ以外にもコンテンツを表示枠に直接割り当ててもよい。
【００２８】
また、コンテンツフォルダＤ１１０、番組Ｄ１２０を表示スケジュールＤ１３０に割り当てることも可能である。すなわち、指定された日時にコンテンツフォルダＤ１１０、番組Ｄ１２０を割り当てることにより、表示装置２０は、指定された日時にコンテンツフォルダＤ１１０又は番組Ｄ１２０のコンテンツを表示することができる。
【００２９】
また、コンテンツフォルダＤ１１０毎に、管理権限又は表示に関する設定を行ってもよい。例えば、コンテンツフォルダＤ１１０にコンテンツを編集できる管理者を制限する設定を行う（権限情報）。この場合、権限を有さない管理者は、コンテンツフォルダＤ１１０にコンテンツを追加したり、上書きしたり、削除することはできない。
【００３０】
また、コンテンツフォルダＤ１１０には、コンテンツの表示に関する設定（表示情報）を含めてもよい。この場合は、表示情報に従って、コンテンツフォルダに含まれるコンテンツが表示される。表示設定として、例えば、「コンテンツを格納した順番に１０秒毎表示する」としてもよい。このような表示設定が含まれるコンテンツフォルダにコンテンツを３ファイル格納すれば、それら３ファイルは、格納した順番に１０秒毎表示されることとなる。
【００３１】
そして、コンテンツフォルダＤ１１０、番組Ｄ１２０、表示スケジュールＤ１３０に基づいて、コンテンツが配信データとして表示装置２０に配信される。配信データには、コンテンツフォルダＤ１１０、番組Ｄ１２０、表示スケジュールＤ１３０に関する情報が含まれている。これらの情報は、別に管理されてもよいし、コンテンツが格納されているディレクトリＤ１００に併せて記憶（格納）されてもよい。
【００３２】
すなわち、本実施形態のシステムを利用することにより、コンテンツフォルダＤ１１０を中心とした、コンテンツの管理及び配信が可能となる。例えば、複数の表示装置２０が単一のコンテンツフォルダＤ１１０と関連付けられることで、当該コンテンツフォルダＤ１１０に対して行った操作が、関連付けられた複数の表示装置２０に反映される。したがって、コンテンツの管理や配信が効率的に行うことができる。
【００３３】
［１．３  機能構成］
つづいて、各装置の機能構成について、図を参照して説明する。
【００３４】
［１．３．１  コンテンツ配信装置］
本実施形態におけるコンテンツ配信装置１０の機能構成について、図３に基づいて説明する。コンテンツ配信装置１０は、図３に示すように、制御部１００と、表示部１１０と、操作部１２０と、通信部１３０と、記憶部１４０とを備えて構成される。
【００３５】
制御部１００は、コンテンツ配信装置１０の全体を制御するための機能部である。制御部１００は、記憶部１４０に記憶されている各種プログラムを読み出して実行することにより各種機能を実現しており、例えばＣＰＵ（Central Processing Unit）等により構成されている。
【００３６】
表示部１１０は、コンテンツの登録や、管理している表示装置２０の状態を確認するための画面を表示する機能部である。例えば、液晶ディスプレイ（ＬＣＤ）、有機ＥＬディスプレイ（ＯＬＥＤ）、ＬＥＤスクリーン等により構成される。
【００３７】
操作部１２０は、コンテンツ配信システムの管理者といった操作者が、指示等を入力する機能部であり、例えば、コンテンツ配信装置１０に接続されたマウスやキーボード等によって構成されていてもよいし、タッチパネルとして表示部１１０と一体となっていてもよい。
【００３８】
通信部１３０は、他の装置と通信を行うための機能部である。例えば、有線ＬＡＮにより通信可能な機能部であったり、無線ＬＡＮにより通信可能な機能部であったりする。通信方式としては、Ｅｔｈｅｒｎｅｔ（登録商標）やＩＥＥＥ８０２．１１ａ／ｂ／ｇ／ｎであってもよいし、ＬＴＥ（登録商標）通信網やＷｉＭＡＸ（登録商標）のような通信網であってもよい。
【００３９】
記憶部１４０は、コンテンツ配信装置１０の動作に必要な各種データが記憶されている機能部である。記憶部１４０は、例えば、半導体メモリとしてＳＳＤ（Solid State Drive）や、ＨＤＤ（Hard Disk Drive）等により構成されている。
【００４０】
ここで、記憶部１４０には、配信データ管理情報１４２が記憶されている。また、コンテンツ１４４２が格納されたコンテンツディレクトリ１４４を有している。
【００４１】
配信データ管理情報１４２には、表示装置２０（パネル）に配信する配信データを管理するための情報が記憶されている。配信データ管理情報１４２は、プレイリスト１４２２と、番組情報１４２４と、表示スケジュール情報１４２６とが記憶されている。なお、番組情報１４２４、表示スケジュール情報１４２６は、必要に応じて生成される。
【００４２】
プレイリスト１４２２は、表示装置２０に配信されるコンテンツが格納されたディレクトリのリンクを、コンテンツフォルダとして管理するための情報である。プレイリスト１４２２は、図４（ａ）に示すように、プレイリストに記憶されている情報を一意に特定するための名称としてコンテンツフォルダ（例えば、「ＮｅｗＣｏｎｔｅｎｔ」）と、コンテンツが格納されているコンテンツディレクトリ１４４のディレクトリを示すディレクトリ情報（例えば「／ｕｓｒ／ｄａｔａ／０１／」）と、ディレクトリに格納されているコンテンツの表示方法・状態を示す表示情報（例えば「１０秒毎／格納順」）とが記憶されている。
【００４３】
なお、表示情報は、本実施形態においてはプレイリスト１４２２に含まれていることとして説明しているが、別ファイルとして記憶されてもよい。この表示情報は、プレイリスト１４２２の記憶されている場所に記憶されてもよいし、コンテンツディレクトリ１４４に格納されてもよい。例えば、表示情報として、コンテンツ１４４２と同じディレクトリに格納されてもよい。
【００４４】
番組情報１４２４は、コンテンツフォルダや、コンテンツを、表示装置２０でどのように表示されるかを示す表示枠（レイアウト）に関する情報である。
【００４５】
番組情報１４２４の一例を図４（ｂ）に示すと、番組を識別する番組名（例えば「ＮｅｗＰｒｏｇｒａｍ」）と、表示枠を識別する表示枠名（例えば「フレーム１」）と、表示枠の位置と大きさを示す位置情報（例えば、「０ｐｘ，０ｐｘ，４８０ｐｘ，９００ｐｘ」。前から、ｘ座標、ｙ座標、幅、高さを表す。）と、コンテンツ又はプレイリストを示す割り当て情報（例えば、コンテンツフォルダとして「ＮｅｗＣｏｎｔｅｎｔ」）とが記憶される。位置情報は、表示枠の大きさが特定される情報であり、上述したように表示枠の位置と大きさを指定したり、絶対座標（例えば、表示枠の左上の座標及び右下の座標）を指定したりしてもよい。
【００４６】
表示スケジュール情報１４２６は、コンテンツ、コンテンツフォルダ、番組情報に基づいて、どのタイミングでコンテンツ等が表示されるかを示す情報である。表示スケジュール情報１４２６の一例を、図４（ｃ）に示すと、コンテンツ、プレイリスト、番組情報のいずれかを示す割り当て情報（例えば、コンテンツフォルダを示す「ＮｅｗＣｏｎｔｅｎｔ」）と、割り当て情報で示されたコンテンツ等が表示装置２０に表示される期間を示す表示スケジュール（例えば「２０１７／０７／１６  ０７：００−１１：００」）とが記憶される。
【００４７】
コンテンツディレクトリ１４４は、コンテンツ配信装置１０における記憶部１４０におけるコンテンツ格納領域を示している。すなわち、コンテンツ１４４２を格納する場所として、ディレクトリが作成される。そして、作成されたディレクトリ（コンテンツディレクトリ１４４）に対して、コンテンツ１４４２（例えば、動画ファイルや、静止画ファイルといったコンテンツを示すファイル）が格納されることとなる。
【００４８】
なお、コンテンツディレクトリ１４４は、コンテンツ配信装置１０の記憶部１４０に作成されている。この記憶部１４０は、例えば、内蔵又は外付けの記憶装置（例えば、ＳＳＤやＨＤＤ）に作成されるものであってもよいし、他のファイルサーバや、ＮＡＳ（Network Attached Storage）上に作成されてもよい。また、クラウド上の領域に、ディレクトリが作成されてもよい。
【００４９】
［１．３．２  表示装置］
つづいて、本実施形態における表示装置２０の機能構成について、図５に基づいて説明する。表示装置２０は、デジタルサイネージとして設置ロケーションで実際の表示を行うシステム一式であり、制御部２００と、表示部２１０と、通信部２３０と、記憶部２４０とを備えて構成される。
【００５０】
なお、本実施形態において、表示装置２０として説明するが、例えば単なる表示パネルに、制御装置がＨＤＭＩ（登録商標）等で接続されて構成されてもよい。また、再生機能を搭載した表示装置２０により単体で構成されてもよい。
【００５１】
制御部２００は、表示装置２０の全体を制御するための機能部である。制御部２００は、記憶部２４０に記憶されている各種プログラムを読み出して実行することにより各種機能を実現しており、例えばＣＰＵ（Central Processing Unit）等により構成されている。
【００５２】
表示部２１０は、後述する配信データ２４２に基づき、コンテンツを表示する機能部である。例えば、液晶ディスプレイ（ＬＣＤ）、有機ＥＬディスプレイ（ＯＬＥＤ）、ＬＥＤスクリーン等により構成される。
【００５３】
通信部２３０は、他の装置と通信を行うための機能部である。例えば、有線ＬＡＮにより通信可能な機能部であったり、無線ＬＡＮにより通信可能な機能部であったりする。通信方式としては、Ｅｔｈｅｒｎｅｔ（登録商標）やＩＥＥＥ８０２．１１ａ／ｂ／ｇ／ｎであってもよいし、ＬＴＥ（登録商標）通信網やＷｉＭＡＸ（登録商標）のような通信網であってもよい。
【００５４】
記憶部２４０は、表示装置２０の動作に必要な各種データが記憶されている機能部である。記憶部２４０は、例えば、半導体メモリ（ＳＳＤ）や、ＨＤＤ（Hard Disk Drive）等により構成されている。また、ＵＳＢメモリ等の外部記憶装置が接続されてもよい。
【００５５】
ここで、記憶部２４０には、配信データ２４２が記憶されている。配信データ２４２には、コンテンツ配信装置１０から配信されたプレイリスト２４２２と、番組情報２４２４と、表示スケジュール情報２４２６と、コンテンツ２４２８とが記憶されている。
【００５６】
コンテンツ配信装置１０から配信された配信データは、配信データ２４２として記憶される。ここで、コンテンツ配信装置１０から配信（送信）され、受信されたプレイリスト１４２２がプレイリスト２４２２に、番組情報１４２４が番組情報２４２４に、表示スケジュール情報１４２６が表示スケジュール情報２４２６に、それぞれ記憶される。
【００５７】
また、配信データには、コンテンツが１又は複数含まれている。これらのコンテンツは、コンテンツ２４２８として記憶される。なお、コンテンツ２４２８は、配信データ２４２として記憶されてもよいし、表示装置２０の所定のコンテンツを格納するディレクトリに記憶されてもよい。
【００５８】
また、プレイリスト、番組情報、表示スケジュール情報は任意であり、必ずしも配信データに含まれるとは限らない。これらの情報がある場合は、当該情報にしたがって、コンテンツが表示される。しかし、これらの情報が配信データに含まれていなくても、例えば番組情報（表示レイアウト）が含まれていない場合には一つのコンテンツを全画面表示したり、表示スケジュール情報が含まれていない場合には設定された時間毎にコンテンツを繰り返し表示してもよい。
【００５９】
また、既にコンテンツが配信済であったり、予め表示装置２０に記憶されているコンテンツを利用したりする場合には、配信データにコンテンツが含まれていなくてもよい。この場合、プレイリスト、番組情報、表示スケジュール情報に基づいて、表示装置２０に記憶されているコンテンツを利用すればよい。
【００６０】
すなわち、配信データに含まれる情報は、必要に応じてコンテンツ配信装置１０から、表示装置２０に配信されればよい。
【００６１】
表示装置２０としては、例えば、コンピュータとディスプレイとによって構成されてもよいし、システムとして一体となったものでもよい。また、例えばスマートフォンやタブレットといった表示装置によって実現されてもよい。
【００６２】
［１．４  処理の流れ］
本実施形態における、コンテンツフォルダの作成からパネルへの割り当てまでの処理の流れについて、図６を参照して説明する。
【００６３】
まず、コンテンツ配信装置１０において、コンテンツフォルダを作成する（ステップＳ１０２）。コンテンツフォルダを作成するとき、併せてディレクトリを割り当てる（ステップＳ１０４）。また、必要に応じて表示情報を設定する（ステップＳ１０６）。
【００６４】
ステップＳ１０２〜ステップＳ１０６の処理が実行されることにより、プレイリスト１４２２が生成される。具体的には、プレイリスト１４２２として、コンテンツフォルダの名称と、当該コンテンツフォルダのリンク先となるコンテンツディレクトリ１４４の情報とを記憶する。なお、ここでは、コンテンツフォルダとして、コンテンツディレクトリ１４４が割り当てられればよい。
【００６５】
例えば、既に作成されているコンテンツフォルダに、コンテンツディレクトリ１４４を割り当てる（リンクする）こととしてもよいし、コンテンツディレクトリを割り当てたタイミングでコンテンツフォルダが生成されてもよい。
【００６６】
また、コンテンツディレクトリ１４４は、コンテンツフォルダに割り当てるタイミングで作成してもよいし、既にあるコンテンツフォルダを割り当ててもよい。
【００６７】
また、表示情報についても、必要に応じて設定されればよい。表示情報は、例えば初期設定として、共通の表示情報が設定されてもよいし、コンテンツフォルダ毎に設定されてもよい。また、共通の表示情報と、コンテンツフォルダ毎の表示情報とが優先度に応じて設定されてもよい。
【００６８】
また、この表示情報は、プレイリスト１４２２として記憶されてもよいし、別ファイルとして記憶されてもよい。また、既にコンテンツフォルダに格納されている表示情報に関するファイルを利用してもよいし、ファイルを出力してもよい。
【００６９】
つづいて、配信先となる表示装置２０（パネル）を割り当てる（ステップＳ１０８）。ここにおける処理は、コンテンツフォルダを、どの表示装置（パネル）に、割り当てるかを決定することにより、配信先を決める処理である。
【００７０】
配信先を決定する処理としては、複数の処理が実行される。単純に配信される表示装置２０を決定する処理と、表示装置でどのように表示されるかを決定する処理が含まれる。
【００７１】
まず、単純に配信される表示装置２０を決定する処理は、例えば一覧表示された表示装置２０から、配信データ（コンテンツ）を配信したい表示装置を決定する。例えば、管理者により、配信先となる表示装置を選択した上で、当該コンテンツフォルダや、番組、表示スケジュールをドラッグ＆ドロップ操作することにより、容易にコンテンツフォルダの割り当てが行われる。
【００７２】
また、コンテンツフォルダや、コンテンツを、番組や、表示スケジュールに割り当てるといったことも可能である。すなわち、表示装置２０における表示画面のレイアウト（１又は複数の表示枠）のどこにコンテンツフォルダに含まれているコンテンツや、コンテンツ自体を表示するかが指定することが可能である。また、表示装置２０における出力時刻、時間、時間帯、曜日、日にち等の表示スケジュールを生成し、当該表示スケジュールにコンテンツフォルダを割り付けるといったことが可能である。これらの具体的な処理については、別実施形態として説明する。
【００７３】
そして、具体的にパネルにコンテンツフォルダを配信する（ステップＳ１１０）。これは、配信データとして、コンテンツフォルダに含まれているコンテンツが、配信先として決定されたパネル（表示装置）に具体的に配信される。
【００７４】
ここで、コンテンツ配信装置１０から、表示装置２０へ配信データが配信（送信）されるタイミングとしては、配信スケジュールにしたがって配信される。配信スケジュールとしては、例えば、管理者が設定した時刻であってもよいし、予め設定された時刻であってもよい。また、管理者が任意のタイミングで配信操作を行うことにより、配信スケジュールが設定され、配信データが配信されてもよい。
【００７５】
また、配信スケジュールは、コンテンツフォルダに、新たなコンテンツが追加されたタイミングに更新されてもよい。例えば、コンテンツフォルダに、新たなコンテンツが追加されたことにより、追加時又は次回配信時に配信データが表示装置２０に配信されるように配信スケジュールを更新する。
【００７６】
また、配信データを配信する方法としては、コンテンツ配信装置１０が配信スケジュールまたは管理者による配信操作にしたがって表示装置２０に配信データを配信するＰＵＳＨ型と、表示装置２０からコンテンツ配信装置１０への配信要求に応じて配信データを配信するＰＵＬＬ型が考えられる。
【００７７】
表示装置２０は、コンテンツ配信装置１０から送信され、受信した配信データを配信データ２４２として記憶する。そして、配信データ２４２に含まれていたコンテンツを、コンテンツ２４２８として記憶する。そして、表示装置２０は、配信データ２４２に含まれるプレイリスト２４２２、番組情報２４２４、表示スケジュール情報２４２６を適宜参照し、コンテンツ２４２８を読み出して、表示部２１０に表示する。
【００７８】
［１．５  動作例］
上述した処理の流れについて、画面例を利用して具体的に説明する。
【００７９】
図７は、コンテンツフォルダを作成する表示画面の一例を示す図である。コンテンツフォルダとして、例えば、コンテンツフォルダ名、割り当てられるコンテンツディレクトリ、表示情報（例えば、遷移効果や遷移方向、時間等）が設定可能である。また、その他にも、種々の設定が可能であり、例えば、サポートされるコンテンツの拡張子、アクセス可能なグループ権限等が設定可能である。
【００８０】
図８は、具体的にコンテンツフォルダにコンテンツを割り当てている表示画面の一例である。図８（ａ）は、表示画面の上側にコンテンツフォルダに関する情報が表示されている。また、表示画面の下側にコンテンツファイルが一覧表示されている。ここで、コンテンツフォルダのリンク先となるコンテンツディレクトリを表示した画面が図８（ｂ）である。図８（ｂ）に示した画面には、コンテンツフォルダに割り当てられているコンテンツファイルが表示される。図８（ｂ）は、例えば一般的なＷｉｎｄｏｗｓフォルダの表示画面等でもよい。
【００８１】
図９は、具体的にコンテンツフォルダを、パネル（表示装置２０）に割り付ける表示画面の一例である。表示画面左側にはコンテンツフォルダが一覧表示されており、右側にはパネルが一覧表示されている。なお、ここで一覧表示されるパネルは、コンテンツ配信システムに含まれる総てのパネルが表示されてもよいし、所定の抽出条件に従って抽出されたパネルのみが表示されてもよい。例えば、パネルの設置場所が記憶されている場合には、設置場所で抽出した状態（絞り込んだ状態）で表示されればよい。また、例えば配信エラーとなっているパネルのみや、利用者が任意に選択したパネルのみが表示されてもよい。
【００８２】
この一覧表示されているパネルに対して、図１０に示すようにコンテンツフォルダの識別表示を選択し、ドラッグして一覧表示されているパネルの上にドロップする操作を実行する。例えば、図１０では、コンテンツフォルダ「ＳＭｅｄｉａ」がドラッグされ、「パネルＡ」に移動されている状態である。
【００８３】
そして、「パネルＡ」の上でドロップされた状態が図１１である。このように、コンテンツフォルダをドラッグ＆ドロップするだけで、所望するパネル（表示装置２０）に配信を行うことが可能となる。
【００８４】
なお、ドロップする前に、配信したいパネルを選択してもよい。先に選択されたパネルがある場合には、ドロップされたコンテンツフォルダは、選択されたパネル総てに配信されることとなる。
【００８５】
また、上述した画面例ではコンテンツフォルダが表示されて選択されているが、コンテンツフォルダから更に割り付けられている番組や、表示スケジュールがドロップされてもよい。
【００８６】
［２．第２実施形態］
つづいて、第２実施形態について説明する。第１実施形態は、コンテンツフォルダにディレクトリを割り当てる場合について説明した。本実施形態は、管理者がディレクトリを直接操作するのではなく、ＵＩを利用してコンテンツをアップロードする場合について説明する。なお、第１実施形態とシステム、機能構成については同様であり、図６の処理フローを図１２の処理フローに置き換えたものである。なお、同一の処理には同一の符号を付して、説明を省略する。
【００８７】
まず、コンテンツフォルダが作成される（ステップＳ２０２）。そして、コンテンツフォルダが作成されると、コンテンツを格納するためのコンテンツディレクトリが作成され(ステップＳ２０４）、その作成されたコンテンツディレクトリの場所が、コンテンツフォルダに割り当てられる（ステップＳ２０６）。
【００８８】
すなわち、システム上作成されたコンテンツディレクトリの場所が、コンテンツの格納先を示す場所のリンクとなり、プレイリスト１４２２のディレクトリ情報として記憶されることとなる。この場合、管理者はコンテンツ配信装置１０の記憶部１４０において、どこにコンテンツディレクトリが作成されたのか、コンテンツディレクトリの場所がどこなのかを意識することはない。
【００８９】
ここで、コンテンツがアップロードすることができ（ステップＳ２０８）、コンテンツの属性が指定可能である（ステップＳ２１０）。ここでいうコンテンツの属性とは、例えば、コンテンツの表示時間、表示方法、表示可否等の表示情報が含まれる。
【００９０】
また、コンテンツの属性としては、例えば有効期限や、コンテンツの表示曜日といった情報として、表示制限情報を設定することができる。表示制限情報とは、各コンテンツに対して表示可能（又は表示不可能）な条件として、日付、期間、時間、曜日、週等に関する情報が含まれている。
【００９１】
なお、表示情報、表示制限情報は、コンテンツ毎に設定可能であるが、コンテンツフォルダ毎に設定されてもよい。
【００９２】
また、表示制限情報は、プレイリスト２４２２に含まれてもよいし、別の情報として記憶されていてもよい。また、コンテンツディレクトリに、設定ファイルとして記憶されてもよい。
【００９３】
なお、図１２の処理フローでは、コンテンツのアップロードを例に説明しているが、他の操作が可能なことは勿論である。例えば、コンテンツの移動、コピー、削除、名前変更といったことが可能である。
【００９４】
また、コンテンツをアップロード時に、表示装置２０で表示可能なファイル形式に変換すると言ったことを行ってもよい。例えば、ドキュメントファイルがアップロードされた場合はＰＤＦファイルや、ＰＮＧファイルといった表示可能なファイル形式に変換されたり、動画がアップロードされた場合には、再生可能なファーマットや、ビットレートが指定されることで変換されたり、自動的に変換されたりしてもよい。
【００９５】
続いて、表示画面の例を使って、本実施形態の動作について説明する。図１３は、コンテンツフォルダを作成する場合の表示画面の一例である。コンテンツフォルダを作成する場合のコンテンツフォルダ名、コンテンツフォルダのタイプ、コンテンツフォルダの表示属性等が入力・設定可能である。これらの入力・設定された内容に基づいて、コンテンツフォルダが作成され、割り付けられるコンテンツディレクトリが作成される。
【００９６】
図１４は、コンテンツの管理画面である。この画面から必要に応じてコンテンツをアップロード（登録）したり、削除したりすることが可能である。また、必要に応じてダウンロードしたり、サムネイルを表示したりすることも可能である。
【００９７】
図１５（ａ）は、コンテンツの属性を設定するための画面である。コンテンツとしてアップロードされるファイル（動画ファイル、音声ファイル、テキストファイル等）を選択してもよい。
【００９８】
また、この表示画面ではコンテンツの属性が設定可能である。コンテンツの属性としては種々の属性が設定可能であるが、例えば表示時間、コンテンツの背景色、透過の有無、レイアウト（例えば、アスペクト比や、表示位置等）、画面遷移（例えば、時間、効果、方向、背景色等）といったものが設定可能である。
【００９９】
このように、本実施形態は、ＵＩを利用することにより、コンテンツを容易に管理することが可能となる。また、コンテンツ毎に属性を容易に設定することも可能となる。
【０１００】
また、コンテンツの表示属性として、例えば図１５（ｂ）に示すように、各コンテンツに表示制限情報（例えば、有効期限や表示条件）を設定してもよい。図１５（ｂ）によれば、例えばコンテンツ毎に表示可能な時期（期限）や、曜日、週等を指定することが可能となる。これにより、期間限定のコンテンツを表示させたり、期間経過後のコンテンツを非表示としたりすることが可能となる。
【０１０１】
なお、第１実施形態では、コンテンツディレクトリを直接操作する実施形態であったが、第２実施形態のＵＩを利用したものと切り替えられるようにしてもよい。
【０１０２】
［３．第３実施形態］
つづいて、第３実施形態について説明する。第３実施形態は、表示装置２０にコンテンツフォルダだけでなく、番組情報を割り当てる場合について説明する。なお、第１実施形態とシステム、機能構成については同様であり、図６の処理フローを図１６の処理フローに置き換えたものである。なお、同一の処理には同一の符号を付して、説明を省略する。
【０１０３】
ステップＳ１０２〜ステップＳ１０６でコンテンツフォルダが生成・設定される。つづいて、番組情報として、表示レイアウトを生成する（ステップＳ３０２）。
【０１０４】
表示レイアウトは表示装置２０において、どのようにコンテンツが表示されるかを設定するものである。例えば、表示画面を複数の表示枠の領域に分割し、それぞれコンテンツフォルダ（コンテンツ）を割り当てることができる。
【０１０５】
そのために、まず表示レイアウトとして表示枠が生成される。表示枠は、表示装置２０における表示画面の絶対座標であってもよいし、ある座標から表示枠の大きさを指定してもよい。また、例えば左右に２分割するといった指定であってもよい。
【０１０６】
そして、コンテンツフォルダを選択し（ステップＳ３０４）、選択されたコンテンツフォルダを表示枠に割り当てる（ステップＳ３０６）。なお、一つの表示枠に対して複数のコンテンツフォルダを割り当ててもよいし、或いは異なる表示枠であっても、同じコンテンツフォルダを割り当ててもよい。また、コンテンツフォルダではなく、直接コンテンツを割り当ててもよい。
【０１０７】
そして、表示レイアウト（表示枠情報）と、割り当てられたコンテンツフォルダ、コンテンツに関する情報を、番組情報として生成する（ステップＳ３０８）。そして、配信先として選択された表示装置２０に、コンテンツフォルダ、コンテンツ、番組情報が割り当てられ（ステップＳ１０８）、配信先となる表示装置２０（パネル）に、コンテンツ（コンテンツフォルダ）、番組情報が配信される（ステップＳ３１０）。
【０１０８】
続いて、表示画面の例を使って、本実施形態の動作について説明する。図１７は、表示レイアウトを設定している表示画面の一例である。表示レイアウトとして、「メインレイアウト１」が設定されている画面であり、例えば、フレーム１、フレーム２・・・といった表示枠と、テロップ１という表示枠とが設定されている。
【０１０９】
これらの表示枠は、複数の種類があってもよい。例えば、フレームの表示枠では、いずれのコンテンツ（コンテンツフォルダ）も割り当てられるが、テロップの表示枠では、テキスト情報のコンテンツのみが割り当てられることとしてもよい。
【０１１０】
また、これらの表示枠の設定は、設定ファイルに基づいてもよいし、ＵＩによって設定されることとしてもよい。また、表示枠毎に属性（例えば、コンテンツの切替えタイミング等を指定する表示情報や、表示／非表示等）を設定してもよい。
【０１１１】
図１７の表示画面は、左側にコンテンツフォルダが一覧表示されている。ここで、コンテンツフォルダの表示欄から表示枠にコンテンツフォルダを識別する表示をドラッグ＆ドロップすることができる。これにより、表示枠に、コンテンツフォルダを容易に割り当てることが可能となる。
【０１１２】
すなわち、コンテンツフォルダ「ＳＭｅｄｉａ」のコンテンツフォルダを、フレーム１の表示枠にドラッグ＆ドロップすることで（図１８）、フレーム１にコンテンツフォルダを容易に割り当てることができる（図１９）。
【０１１３】
表示レイアウトを活用することで、デジタルサイネージとして柔軟な運用が可能となる。例えば１つの表示枠には共通のコンテンツを割り当て、他の表示枠には個別のコンテンツを割り当てることが可能となる。例えば、大型ショッピングセンターで使用する場合、１つの表示枠には全店舗共通のコンテンツを表示し、他の表示枠には店舗毎のコンテンツを表示するといった利用方法が可能となる。
【０１１４】
また、１つの表示枠には店舗のコンテンツを表示し、異なる表示枠に天気予報やニュースといったコンテンツを表示するといったことも可能である。
【０１１５】
［４．第４実施形態］
つづいて、第４実施形態について説明する。第４実施形態は、表示装置２０にコンテンツフォルダだけでなく、表示スケジュールを割り当てる場合について説明する。なお、第１実施形態とシステム、機能構成については同様であり、図６の処理フローを図２０の処理フローに置き換えたものである。なお、同一の処理には同一の符号を付して、説明を省略する。また、第３実施形態で説明した番組情報を表示スケジュールに割り当ててもよい。
【０１１６】
ステップＳ１０２〜ステップＳ１０６でコンテンツフォルダが生成・設定される。つづいて、表示スケジュールを表示する（ステップＳ４０２）。ここで、表示スケジュールの表示方法としては種々の方法が考えられる。例えば、指定した日付について表示するだけでなく、週間表示、月間表示といった表示方法が考えられる。また、表示形式としても一覧表示だけでなく、カレンダー表示といった方法も考えられる。また、表示スケジュールも単純に日表示、週間表示、月間表示といったカレンダー形式だけでなく、表示装置２０を複数台一括して表示させたり、コンテンツに対応して表示させたりといった方法が考えられる。
【０１１７】
つづいて、コンテンツフォルダ等が選択され（ステップＳ４０４）、表示スケジュールにコンテンツフォルダ等が割り当てられる（ステップＳ４０６）。ここで、表示スケジュールに割り当てられるコンテンツフォルダ等とは、コンテンツフォルダだけでなく、コンテンツ自体や、コンテンツフォルダが割り当てられた番組が含まれる。また、表示スケジュールにコンテンツフォルダ等を割り当てる方法としては、カレンダー表示等においてコンテンツフォルダ等の表示をドラッグ＆ドロップしてもよいし、コンテンツフォルダ等毎に表示スケジュールを登録してもよい。
【０１１８】
このようにして、表示スケジュールにコンテンツフォルダ等が割り当てられた表示スケジュール情報が生成される（ステップＳ４０８）。そして、配信先が割り当てられ（ステップＳ１０８）、コンテンツ（コンテンツフォルダ、番組等）と、表示スケジュール情報とが配信データとして、配信スケジュールにしたがって表示装置２０に配信される。
【０１１９】
図２１は、表示画面の一例である。表示画面の左側にコンテンツフォルダが一覧表示されており、右側には表示スケジュールが表示されている。図２１の表示スケジュールは、週間表示の表示スケジュールであり、日付と時刻とが解るように表示されている。また、日付毎に、表示されるコンテンツフォルダ等の名称が表示されている。
【０１２０】
ここで、表示スケジュールにコンテンツフォルダを割り当てたい場合について説明すると、左側に表示されているコンテンツフォルダをドラッグし、表示スケジュールの領域に移動する（図２２）。
【０１２１】
そして、実際に表示したい時間帯に、ドラッグしているコンテンツフォルダをドロップすることにより、表示スケジュールにコンテンツフォルダが割り当てられる（図２３）。
【０１２２】
このように、本実施形態によれば、管理者は表示スケジュールの表示画面を利用することで、容易にコンテンツの配信を指定しることができる。また、配信されるコンテンツを指定する場合に、ＵＩを利用してコンテンツフォルダを表示スケジュールに割り当てることができる。
【０１２３】
したがって、従前のように管理者が別ファイルで表示スケジュール情報を生成することなく、ＵＩを利用することで直感的に表示装置２０にコンテンツを配信できることができるようになる。
【０１２４】
［５．画面適用例］
図２４〜図３３は、上述した実施形態を実際に動作させた場合の画面例を表したものである。コンテンツ配信装置１０上で、上述した実施形態の処理が具体的に実行された場合の画面の一例であり、図２４はコンテンツフォルダの作成画面について、図２５はアップロード画面について、図２６はコンテンツの属性の設定画面について、図２７は表示制限情報の設定について、図２８はコンテンツフォルダの一覧画面について、図２９は表示レイアウト作成画面について、図３０〜図３２はコンテンツフォルダ割り当て画面について、図３３はディレクトリ割り当て画面について示した図である。
【０１２５】
コンテンツフォルダ割り当ての画面例については、図３０は第１実施形態で説明したパネルに対するコンテンツフォルダの割り当ての画面例であり、図３１は第４実施形態で説明した表示スケジュールに対するコンテンツフォルダの割り当ての画面例である。また、図３１はコンテンツフォルダの割り当て状況を週間表示（７日間）したものであるが、図３２（ａ）の画面例のような月間表示や、図３２（ｂ）の画面例のような日表示の画面があってもよく、これらの画面を切り替えるためのボタン等を画面に表示しても構わない。また、図３３（ａ）はコンテンツフォルダに割り当てられているコンテンツファイルの表示画面であり、図３３（ｂ）コンテンツフォルダのリンク先となるコンテンツディレクトリを表示した画面である。
【０１２６】
［６．変形例］
以上、この発明の実施形態について図面を参照して詳述してきたが、具体的な構成はこの実施形態に限られるものではなく、この発明の要旨を逸脱しない範囲の設計等も特許請求の範囲に含まれる。また、上述した実施形態は、説明の都合上、各実施形態を分けて説明しているが、可能な範囲で組み合わせて実行することが可能である。
【０１２７】
また、実施形態において各装置で動作するプログラムは、上述した実施形態の機能を実現するように、ＣＰＵ等を制御するプログラム（コンピュータを機能させるプログラム）である。そして、これら装置で取り扱われる情報は、その処理時に一時的に一時記憶装置（例えば、ＲＡＭ）に蓄積され、その後、各種ＲＯＭやＨＤＤ、ＳＳＤの記憶装置に格納され、必要に応じてＣＰＵによって読み出し、修正・書き込みが行なわれる。
【０１２８】
また、市場に流通させる場合には、可搬型の記録媒体にプログラムを格納して流通させたり、インターネット等のネットワークを介して接続されたサーバコンピュータに転送したりすることができる。この場合、サーバコンピュータの記憶装置も本発明に含まれるのは勿論である。
【符号の説明】
【０１２９】
１０  コンテンツ配信装置
１００  制御部
１１０  表示部
１２０  操作部
１３０  通信部
１４０  記憶部
１４２  配信データ管理情報
１４２２  プレイリスト
１４２４  番組情報
１４２６  表示スケジュール情報
１４４  コンテンツディレクトリ
１４４２  コンテンツ
２０  表示装置
２００  制御部
２１０  表示部
２３０  通信部
２４０  記憶部
２４２  配信データ
２４２２  プレイリスト
２４２４  番組情報
２４２６  表示スケジュール情報
２４２８  コンテンツ
３０  端末装置
【図１】
2019040362.tif 000003
【図２】
2019040362.tif 000004
【図３】
2019040362.tif 000005
【図４】
2019040362.tif 000006
【図５】
2019040362.tif 000007
【図６】
2019040362.tif 000008
【図７】
2019040362.tif 000009
【図８】
2019040362.tif 000010
【図９】
2019040362.tif 000011
【図１０】
2019040362.tif 000012
【図１１】
2019040362.tif 000013
【図１２】
2019040362.tif 000014
【図１３】
2019040362.tif 000015
【図１４】
2019040362.tif 000016
【図１５】
2019040362.tif 000017
【図１６】
2019040362.tif 000018
【図１７】
2019040362.tif 000019
【図１８】
2019040362.tif 000020
【図１９】
2019040362.tif 000021
【図２０】
2019040362.tif 000022
【図２１】
2019040362.tif 000023
【図２２】
2019040362.tif 000024
【図２３】
2019040362.tif 000025
【図２４】
2019040362.tif 000026
【図２５】
2019040362.tif 000027
【図２６】
2019040362.tif 000028
【図２７】
2019040362.tif 000029
【図２８】
2019040362.tif 000030
【図２９】
2019040362.tif 000031
【図３０】
2019040362.tif 000032
【図３１】
2019040362.tif 000033
【図３２】
2019040362.tif 000034
【図３３】
2019040362.tif 000035